(57)【要約】【課題】多列配列されたリードフレームや枠部が連結リードで連結される半導体素子搭載用基板における、リードフレームの集積率を向上させ、反りや変形を極力抑えて、生産性を向上可能な半導体素子搭載用基板の提供。【解決手段】多列配列されたリードフレーム１０ｎを有する第１リードフレーム群１０ｎ−３と、第１リードフレーム群を囲む枠部１４と、一方向に延びた細長形状の第２リードフレーム群１０ｎ−２と、第２リードフレーム群の短手方向両端と枠部とを第２リードフレーム群の長手方向に沿う同一直線上で連結する第１連結リード１３ｃ’と、隣り合う第２リードフレーム群同士、枠部における第２リードフレーム群の長手方向に沿う両辺と第２リードフレーム群との夫々を第２リードフレーム群の長手方向略中央位置でのみ第２リードフレーム群の短手方向に沿って連結する補強リード１５と、を有する。【選択図】図１
2019201105.tif 000002
【特許請求の範囲】
【請求項１】
マトリックス状に多列配列された複数個のリードフレームを有する第１のリードフレーム群と、前記第１のリードフレーム群の外周を囲む枠部と、を有してなる半導体素子搭載用基板であって、
前記第１のリードフレーム群内において、複数個のリードフレームを有し、縦・横のいずれか一方向に延びた細長形状をなす、複数組の第２のリードフレーム群と、
夫々の前記第２のリードフレーム群の短手方向両端と前記枠部における前記第２のリードフレーム群の短手方向に沿う両辺とを、該第２のリードフレーム群の長手方向に沿う同一直線上で連結する第１の連結リードと、
隣り合う前記第２のリードフレーム群同士、前記枠部における前記第２のリードフレーム群の長手方向に沿う両辺と当該辺に対向する前記第２のリードフレーム群と、の夫々を、当該第２のリードフレーム群の長手方向略中央位置でのみ該第２のリードフレーム群の短手方向に沿って連結する補強リードと、
を有することを特徴とする半導体素子搭載用基板。
【請求項２】
前記補強リードは、前記第２のリードフレーム群の短手方向に沿う同一直線上で連結することを特徴とする請求項１に記載の半導体素子搭載用基板。
【請求項３】
前記リードフレームは、光半導体素子が搭載されるパッド部と、前記パッド部に搭載された光半導体素子の電極と電気的に接続するためのボンディングワイヤが接続されるリード部を有し、
前記補強リードは、前記リードフレームの前記パッド部と接続していることを特徴とする請求項１又は２に記載の半導体素子搭載用基板。
【請求項４】
前記第２のリードフレーム群は、
複数個のリードフレームを有する、複数組の第３のリードフレーム群と、
隣り合う前記第３のリードフレーム群同士を前記第２のリードフレーム群の長手方向に沿って連結する第２の連結リードと、
を有することを特徴とする請求項１〜３のいずれかに記載の半導体素子搭載用基板。
【請求項５】
前記リードフレームは、光半導体素子が搭載されるパッド部と、前記パッド部に搭載された光半導体素子の電極と電気的に接続するためのボンディングワイヤが接続されるリード部を有し、
前記第３のリードフレーム群は、
前記パッド部と前記リード部の配置が互いに逆向きとなって隣り合う前記リードフレーム同士を連結する第３の連結リードを有することを特徴とする請求項１〜４のいずれかに記載の半導体素子搭載用基板。
【請求項６】
前記リードフレームは、光半導体素子が搭載されるパッド部と、前記パッド部に搭載された光半導体素子の電極と電気的に接続するためのボンディングワイヤが接続されるリード部を有し、
前記第３のリードフレーム群は、
前記パッド部と前記リード部の配置が互いに同じ向きとなって隣り合う前記リードフレームにおいて対向する一方の側面同士を第２のリードフレーム群の長手方向に沿って連結することを特徴とする請求項１〜４のいずれかに記載の半導体素子搭載用基板。
【発明の詳細な説明】
【技術分野】
【０００１】
本発明は、半導体素子搭載用基板に関し、特に光半導体パッケージの製造に用いる半導体素子搭載用基板に関する。
【背景技術】
【０００２】
光半導体パッケージは、光の照射角度が狭く指向性が必要な信号などに使用される砲弾型、光の照射角度が広く表面実装でき液晶テレビの直下型バックライトや照明に使用されるトップビュー型、携帯電話など小型電子機器のＬＣＤバックライトに使用されるサイドビュー型に分類することができる。
【０００３】
これらの光半導体パッケージのうち、トップビュー型やサイドビュー型の光半導体パッケージの製造には、個々のリードフレームをマトリックス状に多列配列させたリードフレーム群を複数組備えた、半導体素子搭載用基板が使用されている。これらのタイプの光半導体パッケージの大きさが数ｍｍ角程度であることから、半導体素子搭載用基板は、縦方向および横方向に１０個以上のリードフレームが配列されたリードフレーム群を複数組備えた長方形のシート状に形成され、半導体素子搭載用基板１シートで数百個のリードフレームが形成されていることが多い。
【０００４】
この種の光半導体素子搭載用基板に多列配列されて形成される個々のリードフレームは、例えば、図３(a)、図３(b)に示すように、光半導体素子が搭載されるパッド部５１と、パッド部５１に搭載された光半導体素子の電極と電気的に接続するためのボンディングワイヤが接続されるリード部５２を有している。そして、この種の半導体素子搭載用基板５０は、連結リード５３を介して、互いに隣り合うリードフレーム５０ｎにおけるパッド部５１又はリード部５２や、多列配列されたリードフレーム群（符号省略）の外周を囲む枠部５４と、枠部５４に近接するリードフレーム５０ｎにおけるパッド部５１又はリード部５２とが、縦・横の両方向で夫々連結された構成となっているものが多い。
このような構成を備えた従来の半導体素子搭載用基板は、例えば次の特許文献１に記載されている。
【０００５】
近年、半導体素子搭載用基板は、多列配列されたリードフレームの集積率を上げて生産性を高めることが強く求められてきている。
【０００６】
しかし、特許文献１に記載の半導体素子搭載用基板のような、縦・横の両方向に連結リードを設けた構成では、その分、半導体素子搭載用基板内に配列しうる個々のリードフレームの数が制限されて、集積率が損なわれる。
【０００７】
このため、個々のリードフレームがマトリックス状に多列配列され、隣り合うリードフレーム同士や、リードフレームと枠部が連結リードを介して連結される半導体素子搭載用基板においてリードフレームの集積率を向上させるには、隣り合うリードフレーム同士や、リードフレームと枠部を連結する連結リードを必要最小限に抑えた構造が望まれる。
【０００８】
そこで、本発明者は、隣り合うリードフレーム同士や、リードフレームと枠部を連結する連結リードを必要最小限に抑えた構造として、隣り合うリードフレームを連結リードで連結した小リードフレーム群を構成するとともに、複数組の小リードフレーム群を縦方向に連結リードで連結した細長形状をなす中リードフレーム群を構成し、さらに、中リードフレーム群同士、中リードフレーム群と枠部と、を夫々連結する連結リードを縦方向のみに設け、横方向には設けないことで、その分、横方向の連結リードを減らす構造を着想した。
【０００９】
しかし、リードフレームにおける中リードフレーム群を連結リードで連結する方向を縦方向のみとする構造では、中リードフレーム群の撓みが生じ、その撓みにより各加工工程における搬送時の引っ掛かり等が生じて変形不良を起こし易いという問題がある。また、一般に、パッド部やリード部は、裏面側からハーフエッチング加工等が施されて薄肉化されることから、基材内存応力による反りを生じ易いところ、中リードフレーム群を連結リードで連結する方向を縦方向のみとする構造では、その反りを抑制することができず、大きくなってしまう。
そして、このような中リードフレーム群の撓みを原因とする搬送時の引っ掛かり等による変形不良や反りは、半導体素子搭載用基板の歩留まりを悪化させ、リードフレームの生産性向上の妨げとなる。
【先行技術文献】
【特許文献】
【００１０】
【特許文献１】特開２０１３−２３２５０６号公報
【発明の概要】
【発明が解決しようとする課題】
【００１１】
本発明は、このような問題点を鑑みてなされたものであり、個々のリードフレームがマトリックス状に多列配列され、隣り合うリードフレーム同士や、リードフレームと枠部が連結リードを介して連結される半導体素子搭載用基板における、リードフレームの集積率を向上させ、且つ、撓みを原因とする搬送時の引っ掛かり等による変形不良や反りを極力抑えて、リードフレームの生産性を向上させることが可能な半導体素子搭載用基板を提供することを目的とする。
【課題を解決するための手段】
【００１２】
上記目的を達成するため、本発明による半導体素子搭載用基板は、マトリックス状に多列配列された複数個のリードフレームを有する第１のリードフレーム群と、前記第１のリードフレーム群の外周を囲む枠部と、を有してなる半導体素子搭載用基板であって、前記第１のリードフレーム群内において、複数個のリードフレームを有し、縦・横のいずれか一方向に延びた細長形状をなす、複数組の第２のリードフレーム群と、夫々の前記第２のリードフレーム群の短手方向両端と前記枠部における前記第２のリードフレーム群の短手方向に沿う両辺とを、該第２のリードフレーム群の長手方向に沿う同一直線上で連結する第１の連結リードと、隣り合う前記第２のリードフレーム群同士、前記枠部における前記第２のリードフレーム群の長手方向に沿う両辺と当該辺に対向する前記第２のリードフレーム群と、の夫々を、当該第２のリードフレーム群の長手方向略中央位置でのみ該第２のリードフレーム群の短手方向に沿って連結する補強リードと、を有することを特徴とする。
【００１３】
また、本発明の半導体素子搭載用基板においては、前記補強リードは、前記第２のリードフレーム群の短手方向に沿う同一直線上で連結するのが好ましい。
【００１４】
また、本発明の半導体素子搭載用基板においては、前記リードフレームは、光半導体素子が搭載されるパッド部と、前記パッド部に搭載された光半導体素子の電極と電気的に接続するためのボンディングワイヤが接続されるリード部を有し、前記補強リードは、前記リードフレームの前記パッド部と接続しているのが好ましい。
【００１５】
また、本発明の半導体素子搭載用基板においては、前記第２のリードフレーム群は、複数個のリードフレームを有する、複数組の第３のリードフレーム群と、隣り合う前記第３のリードフレーム群同士を前記第２のリードフレーム群の長手方向に沿って連結する第２の連結リードと、を有するのが好ましい。
【００１６】
また、本発明の半導体素子搭載用基板においては、前記リードフレームは、光半導体素子が搭載されるパッド部と、前記パッド部に搭載された光半導体素子の電極と電気的に接続するためのボンディングワイヤが接続されるリード部を有し、前記第３のリードフレーム群は、前記パッド部と前記リード部の配置が互いに逆向きとなって隣り合う前記リードフレーム同士を連結する第３の連結リードを有するのが好ましい。
【００１７】
また、本発明の半導体素子搭載用基板においては、前記リードフレームは、光半導体素子が搭載されるパッド部と、前記パッド部に搭載された光半導体素子の電極と電気的に接続するためのボンディングワイヤが接続されるリード部を有し、前記第３のリードフレーム群は、前記パッド部と前記リード部の配置が互いに同じ向きとなって隣り合う前記リードフレームにおいて対向する一方の側面同士を前記第２のリードフレーム群の長手方向に沿って連結する第３の連結リードを有するのが好ましい。
【発明の効果】
【００１８】
本発明によれば、個々のリードフレームがマトリックス状に多列配列され、隣り合うリードフレーム同士や、リードフレームと枠部が連結リードを介して連結される半導体素子搭載用基板における、リードフレームの集積率が向上し、且つ、撓みを原因とする搬送時の引っ掛かり等による変形不良や反りの不良が減少し、リードフレームの生産性が向上した半導体素子搭載用基板が得られる。
【図面の簡単な説明】
【００１９】
【図１】本発明の一実施形態にかかる半導体素子搭載用基板の構成を概略的に示す図で、(a)は半導体素子搭載用基板における個々のリードフレーム群の配置を概念的に示す平面図、(b)は(a)の要部拡大図である。
【図２】図１の変形例にかかる半導体素子搭載用基板における要部拡大図である。
【図３】個々のリードフレームがマトリックス状に多列配列され、隣り合うリードフレーム同士や、リードフレームと枠部が連結リードを介して連結された半導体素子搭載用基板の一従来例を示す部分拡大平面図で、(a)は半導体素子搭載用基板における個々のリードフレームの配置を概念的に示す平面図、(b)は(a)の半導体素子搭載用基板におけるリードフレームのパッド部、リード部及び連結部の配置の一例を示す部分拡大平面図である。
【図４】本発明を導出する以前に着想した発明にかかる半導体素子搭載用基板の一例を示す説明図で、(a)は半導体素子搭載用基板における個々のリードフレーム群の配置を概念的に示す平面図、(b)は(a)の部分拡大図である。
【発明を実施するための形態】
【００２０】
実施形態の説明に先立ち、本発明を導出するに至った経緯及び本発明の作用効果について詳細に説明する。
【００２１】
上述したように、個々のリードフレームがマトリックス状に多列配列され、隣り合うリードフレーム同士や、リードフレームと枠部が連結リードを介して連結される半導体素子搭載用基板においてリードフレームの集積率を向上させるには、隣り合うリードフレーム同士や、リードフレームと枠部を連結する連結リードを必要最小限に抑えた構造が望まれる。
【００２２】
そこで、本発明者は、パッド部とリード部を有する個々のリードフレームがマトリックス状に多列配列された光半導体素子搭載用基板に関し、中リードフレーム群同士、中リードフレーム群と枠部と、を夫々連結する連結リードを縦・横のいずれか一方向とする構造として、例えば、図４に示すような半導体素子搭載用基板を着想した。
図４に示す半導体素子搭載用基板１０は、図４(b)に示すように、パッド部１１とリード部１２の配置が互いに逆向きに隣り合うリードフレーム１０ｎ同士が、連結リード１３ａ、１３ｂを介して連結されて１組の小リードフレーム群１０ｎ−１をなしている。また、隣り合う小リードフレーム群１０ｎ−１同士が、連結リード１３ｃで縦方向に沿う同一直線上で連結されて、細長形状の中リードフレーム群１０ｎ−２をなしている。また、夫々の中リードフレーム群１０ｎ−２の短手方向両端１０ｎ−２ａと枠部１４における中リードフレーム群１０ｎ−２の短手方向に沿う夫々の辺１４ａとが、連結リード１３ｃで長手方向に沿う同一直線上で連結されている。
図４に示す半導体素子搭載用基板１０によれば、複数列の中リードフレーム群１０ｎ−２が枠部１４に対し、縦方向のみが連結リード１３ｃで連結され、中リードフレーム群１０ｎ−２同士や、中リードフレーム群１０ｎ−２と枠部１４とが連結リードで連結されない構成にして、横方向の連結リードを減らした分、リードフレームを集積化することができる。
【００２３】
しかし、本発明者が、試行錯誤を繰り返したところ、図４に示す構成の半導体素子搭載用基板１０のように、中リードフレーム群１０ｎ−２同士や、中リードフレーム群１０ｎ−２と枠部１４とが横方向の連結リードで連結されない構成とした場合、中リードフレーム群１０ｎ−２の中央部分が撓みを生じ易く、半導体素子搭載用基板の製造における、めっき加工やリフレクタ樹脂加工等の各加工工程を行う部署への搬送時に外部との機械的な接触による引っ掛かりを生じて変形不良を起こし易いことが認められた。
【００２４】
また、この種の光半導体素子搭載用基板は、パッド部やリード部は裏面側からハーフエッチング加工等が施されるため、リードフレームの基材内在応力による反りが生じ易い特性を有している。
しかるに、図４に示すように、中リードフレーム群１０ｎ−２同士や、中リードフレーム群１０ｎ−２と枠部１４とが横方向の連結リードで連結されない構成とすると、リードフレームの基材内在応力による反りを助長させてしまう。そして、上述したような半導体素子搭載用基板の製造における、搬送時の外部との機械的な接触による引っ掛かりによる変形不良や反りは、リードフレームの歩留まりを悪化させてしまう。
【００２５】
そこで、本発明者は、中リードフレーム群の撓みや反りを軽減するために、図４に示した構成における中リードフレーム群同士、及び中リードフレーム群と枠部とを、横方向の連結リードで連結することについて検討・考察を行った。
【００２６】
しかし、中リードフレーム群同士、及び中リードフレーム群と枠部とを、横方向の連結リードで連結する構成としたのでは、その分、連結リードを設ける長さが横方向に必要となり、リードフレームの集積化が阻害されてしまう。
連結リードは、半導体パッケージの製造工程において、最終的な個々の半導体パッケージに個片化する際に切断される部位であるが、切断されるまでは、半導体素子搭載用基板における連結するパッド部やリード部の変形や反りを防止するために、ある程度の強度が求められる。このため、連結リードは、所定の長さや幅を有さざるを得ず、従来、連結リードを切断するためのブレードの切断幅を０．３ｍｍ〜０．５ｍｍ程度は設けざるを得なかった。
従って、連結リードを設けた長さ分、リードフレームの集積化が阻害されることは避けられない。
【００２７】
ここで、本発明者は、図４に示した、中リードフレーム群１０ｎ−２同士や、中リードフレーム群１０ｎ−２と枠部１４とが横方向の連結リードで連結されない構成において、中リードフレーム群１０ｎ−２同士の間隔や、中リードフレーム群１０ｎ−２と枠部１４との間隔を、図４に示した半導体素子搭載用基板におけるものと同じで、０．３ｍｍよりも短い長さにしながら、中リードフレーム群１０ｎ−２における長手方向の所定位置を補強リードで横方向に連結するリードフレームのパターンを着想した。
【００２８】
その場合、中リードフレーム群１０ｎ−２同士や、中リードフレーム群１０ｎ−２と枠部１４とを長手方向の所定位置で横方向に連結する補強リードは、ブレードの切断幅を満たさないため、ブレードを用いては切断ができなくなる。そして、補強リードで横方向に連結される中リードフレーム群における長手方向の所定位置に配置されるリードフレームは、半導体パッケージの製造に用いることができなくなる虞があり、その分、歩留まりが悪くなることが懸念される。
【００２９】
しかし、中リードフレーム群１０ｎ−２同士や、中リードフレーム群１０ｎ−２と枠部１４とを長手方向の所定位置で横方向に連結する補強リードを設ければ、中リードフレーム群の撓みが抑えられ、リードフレームの製造におけるめっき加工やリフレクタ樹脂加工等の各加工工程における搬送時に外部と機械的な接触による引っ掛かりや、反りを生じ難くなる。
また、補強リードで横方向に連結される中リードフレーム群における長手方向の所定位置に配置されるリードフレームは、半導体パッケージの製造に用いることができなくなるとしても、補強リードで横方向に連結されるリードフレームを、例えば一つの行方向に配置されたリードフレームのみに特定すれば、その特定したリードフレームを半導体パッケージの製造に用いなくても、図４に示した、中リードフレーム群１０ｎ−２同士や、中リードフレーム群１０ｎ−２と枠部１４とが横方向の連結リードで連結されない構成と比較して、撓みを原因とする搬送時の引っ掛かり等による変形不良や反りの不良によるリードフレーム全体の歩留まりは、悪化せず、むしろ向上すると考えられる。
【００３０】
そして、補強リードで横方向に連結される中リードフレーム群のリードフレームは、予め半導体素子を搭載しないダミーリードフレームとして扱うようにすれば、半導体パッケージ製造工程において、半導体素子のロスを防げると考えられる。
【００３１】
このような考察過程を経て、本発明者は、本発明の半導体素子搭載用基板を導出するに至った。
本発明の半導体素子搭載用基板は、マトリックス状に多列配列された複数個のリードフレームを有する第１のリードフレーム群と、第１のリードフレーム群の外周を囲む枠部と、を有してなる半導体素子搭載用基板であって、第１のリードフレーム群内において、複数個のリードフレームを有し、縦・横のいずれか一方向に延びた細長形状をなす、複数組の第２のリードフレーム群と、夫々の第２のリードフレーム群の短手方向両端と枠部における第２のリードフレーム群の短手方向に沿う両辺とを、第２のリードフレーム群の長手方向に沿う同一直線上で連結する第１の連結リードと、隣り合う第２のリードフレーム群同士、枠部における第２のリードフレーム群の長手方向に沿う両辺と当該辺に対向する第２のリードフレーム群と、の夫々を、当該第２のリードフレーム群の長手方向略中央位置でのみ第２のリードフレーム群の短手方向に沿って連結する補強リードと、を有する。
好ましくは、補強リードは、第２のリードフレーム群の短手方向に沿う同一直線上で連結する。
【００３２】
本発明の半導体素子搭載用基板のように、隣り合う第２のリードフレーム群同士、枠部における細長形状をなす第２のリードフレーム群の長手方向に沿う両辺と当該辺に対向する第２のリードフレーム群と、の夫々を、当該第２のリードフレーム群の長手方向略中央位置でのみ第２のリードフレーム群の短手方向に沿って連結する補強リードを有した構成とすれば、細長形状をなす第２のリードフレーム群の撓みが抑えられ、リードフレームの製造におけるめっき加工やリフレクタ樹脂加工等の各加工工程における搬送時に外部と機械的な接触による引っ掛かり等による変形不良を生じ難くなり、また、細長形状をなす第２のリードフレーム群の反りも軽減される。
【００３３】
また、本発明の半導体素子搭載用基板のように、補強リードが連結する位置を第２のリードフレーム群の長手方向略中央位置でのみに特定すれば、ブレードの切断幅を満たさず、ブレードでは切断が難しい長さの補強リードで連結されるリードフレームの個数を最小数に抑えることができ、補強リードで連結されるリードフレームを半導体パッケージの製造に用いなくても、図４に示した、中リードフレーム群１０ｎ−２同士や、中リードフレーム群１０ｎ−２と枠部１４とが横方向の連結リードで連結されない構成と比較して、撓みを原因とする搬送時の引っ掛かり等による変形不良や反りの不良によるリードフレーム全体の歩留まりは、悪化せず、むしろ向上する。
また、補強リードで連結されるリードフレームは、ダミーリードフレームとして、半導体パッケージ製造工程において、半導体素子を搭載しない領域として扱うようにすれば、半導体素子のロスを防げる。
このため、本発明の半導体素子搭載用基板のようにすれば、個々のリードフレームがマトリックス状に多列配列され、個々のリードフレームや枠部が連結リードを介して連結された半導体素子搭載用基板における、リードフレームの集積率が向上し、且つ、反りや変形の不良が減少し、リードフレームの生産性が向上する。
【００３４】
また、本発明の半導体素子搭載用基板においては、好ましくは、リードフレームは、光半導体素子が搭載されるパッド部と、パッド部に搭載された光半導体素子の電極と電気的に接続するためのボンディングワイヤが接続されるリード部を有し、補強リードは、リードフレームのパッド部と接続している。
リードフレームのリード部とパッド部は、通常、パッド部の方が大きな面積を有しているため、補強リードを面積の小さなリード部と接続させるよりも面積の大きなパッド部と接続させた構成とする方が外力に対する変形を防止し易くなる。
【００３５】
また、本発明の半導体素子搭載用基板においては、好ましくは、第２のリードフレーム群は、複数個のリードフレームを有する、複数組の第３のリードフレーム群と、隣り合う第３のリードフレーム群同士を第２のリードフレーム群の長手方向に沿って連結する第２の連結リードと、を有する。
このようにすれば、第２のリードフレーム群同士が、縦・横の一方向のみ連結リードで連結され、縦・横の他方向の連結リードが減る分、集積化を図ることができる。
【００３６】
また、本発明の半導体素子搭載用基板においては、好ましくは、リードフレームは、光半導体素子が搭載されるパッド部と、パッド部に搭載された光半導体素子の電極と電気的に接続するためのボンディングワイヤが接続されるリード部を有し、第３のリードフレーム群は、パッド部とリード部の配置が互いに逆向きとなって隣り合うリードフレーム同士を連結する第３の連結リードを有する。
このようにすれば、第２のリードフレーム群における各リードフレーム同士を、各リードフレームのパッド部とリード部のバランスをとって連結することができる。
【００３７】
また、本発明の半導体素子搭載用基板においては、好ましくは、リードフレームは、光半導体素子が搭載されるパッド部と、パッド部に搭載された光半導体素子の電極と電気的に接続するためのボンディングワイヤが接続されるリード部を有し、第３のリードフレーム群は、パッド部とリード部の配置が互いに同じ向きとなって隣り合うリードフレームにおいて対向する一方の側面同士を第２のリードフレーム群の長手方向に沿って連結する第３の連結リードを有する。
このようにすれば、第２のリードフレーム群における各リードフレーム同士を連結するための連結リードの数を減らすことができる。
【００３８】
以下、本発明の実施形態について、図面を用いて説明する。
図１は本発明の一実施形態にかかる半導体素子搭載用基板の構成を概略的に示す図で、(a)は半導体素子搭載用基板における個々のリードフレーム群の配置を概念的に示す平面図、(b)は(a)の要部拡大図である。図２は図１の変形例にかかる半導体素子搭載用基板における要部拡大図である。
【００３９】
本実施形態の半導体素子搭載用基板１０は、第１のリードフレーム群１０ｎ−３と、枠部１４と、第１の連結リード１３ｃ（図４の例の枠部１４と接続する連結リード１３ｃに相当）と、補強リード１５を有している。
第１のリードフレーム群１０ｎ−３は、マトリックス状に多列配列された複数個のリードフレーム１０ｎを有している。
リードフレーム１０ｎは、光半導体素子が搭載されるパッド部１１と、パッド部１１に搭載された光半導体素子の電極と電気的に接続するためのボンディングワイヤが接続されるリード部１２を有している。
枠部１４は、第１のリードフレーム群１０ｎ−３の外周を囲んでいる。
また、第１のリードフレーム群１０ｎ−３内には、複数組の第２のリードフレーム群１０ｎ−２（図４の例の中リードフレーム群１０ｎ−２に相当）が形成されている。
【００４０】
第２のリードフレーム群１０ｎ−２は、複数個のリードフレーム１０ｎを有し、縦・横のいずれか一方向（ここでは、縦方向）に延びた細長形状をなしている。
また、第２のリードフレーム群１０ｎ−２は、複数組の第３のリードフレーム群１０ｎ−１（図４の例の小リードフレーム群１０ｎ−１に相当）と、第２の連結リード１３ｃ’（図４の例の隣り合う小リードフレーム群１０−１同士を縦方向に連結する連結リード１３ｃに相当）とを有している。
第２の連結リード１３ｃ’は、隣り合う第３のリードフレーム群１０ｎ−１同士を、第２のリードフレーム群１０ｎ−２の長手方向に沿う同一直線上で連結している。
第３のリードフレーム群１０ｎ−１は、第３の連結リード１３ａ、１３ｂ（図４の例の連結リード１３ａ、１３ｂに相当）を有している。
第３の連結リード１３ａ、１３ｂは、パッド部１１とリード部１２の配置が互いに逆向きとなって隣り合うリードフレーム１０ｎ同士を連結している。
第１の連結リード１３ｃは、夫々の第２のリードフレーム群１０ｎ−２の短手方向両端１０ｎ−２ａと枠部１４における第２のリードフレーム群１０ｎ−２の短手方向に沿う両辺１４ａとを、第２のリードフレーム群１０ｎ−２の長手方向に沿う同一直線上で連結している。
【００４１】
補強リード１５は、第２のリードフレーム群１０ｎ−２の長手方向略中央位置に位置する夫々のリードフレーム１０ｎ（ここでは、図１(a)における縦方向の上から６番目）のパッド部１１と接続している。
そして、補強リード１５は、隣り合う第２のリードフレーム群１０ｎ−２同士、枠部１４における第２のリードフレーム群１０ｎ−２の長手方向に沿う両辺１４ｂと当該辺に対向する第２のリードフレーム群１０ｎ−２と、の夫々を、当該第２のリードフレーム群１０ｎ−２の長手方向略中央位置でのみ第２のリードフレーム群１０ｎ−２の短手方向に沿う同一直線上で連結している。
【００４２】
本実施形態の半導体素子搭載用基板１０によれば、隣り合う第２のリードフレーム群１０ｎ−２同士、枠部１４における細長形状をなす第２のリードフレーム群１０ｎ−２の長手方向に沿う両辺１４ａと当該辺１４ａに対向する第２のリードフレーム群１０ｎ−２と、の夫々を、当該第２のリードフレーム群１０ｎ−２の長手方向略中央位置でのみ第２のリードフレーム群１０ｎ−２の短手方向に沿って連結する補強リード１５を有した構成としたので、細長形状をなす第２のリードフレーム群１０ｎ−２の撓みが抑えられ、リードフレームの製造におけるめっき加工やリフレクタ樹脂加工等の各加工工程における搬送時に外部と機械的な接触による引っ掛かり等による変形不良を生じ難くなる。
また、本実施形態の半導体素子搭載用基板１０によれば、補強リード１５が連結する位置を第２のリードフレーム群１０ｎ−２の長手方向略中央位置（ここでは、図１(a)における縦方向の上から６番目）の一つの行方向に配置されたリードフレームのみに特定したので、ブレードの切断幅を満たさず、ブレードでは切断が難しい長さの連結リードで連結されるリードフレームの個数を最小数に抑えることができ、補強リードで連結されるリードフレームを半導体パッケージの製造に用いなくても、図４に示した、中リードフレーム群１０ｎ−２同士や、中リードフレーム群１０ｎ−２と枠部１４とが横方向の連結リードで連結されない構成と比較して、撓みを原因とする搬送時の引っ掛かり等による変形不良や反りの不良によるリードフレーム全体の歩留まりは、悪化せず、むしろ向上する。
また、連結リードで連結されるリードフレームは、ダミーリードフレームとして、半導体パッケージ製造工程において、半導体素子を搭載しない領域として扱うようにすることで、半導体素子のロスを防げる。
このため、本実施形態の半導体素子搭載用基板によれば、個々のリードフレームがマトリックス状に多列配列され、個々のリードフレームや枠部が連結リードを介して連結された半導体素子搭載用基板における、リードフレームの集積率が向上し、且つ、反りや変形の不良が減少し、リードフレームの生産性が向上する。
【００４３】
また、本実施形態の半導体素子搭載用基板によれば、リードフレーム１０ｎが、光半導体素子が搭載されるパッド部１１と、パッド部１１に搭載された光半導体素子の電極と電気的に接続するためのボンディングワイヤが接続されるリード部１２を有し、補強リード１５が、リードフレーム１０ｎのパッド部１１と接続する構成としたので、補強リード１５を面積の小さなリード部１２と接続させるよりも、外力に対する変形を防止し易くなる。
【００４４】
また、本実施形態の半導体素子搭載用基板によれば、第２のリードフレーム群１０ｎ−２を、複数個のリードフレーム１０ｎを有する、複数組の第３のリードフレーム群１０ｎ−１と、隣り合う第３のリードフレーム群１０ｎ−１同士を第２のリードフレーム群１０ｎ−２の長手方向に沿って連結する第２の連結リード１３ｃ’と、を有する構成としたので、第２のリードフレーム群１０ｎ−２同士が、縦・横の一方向（ここでは、縦方向）のみ連結リードで連結され、縦・横の他方向（ここでは、横方向）の連結リードが減る分、集積化を図ることができる。
【００４５】
また、本実施形態の半導体素子搭載用基板によれば、第３のリードフレーム群１０ｎ−１を、パッド部１１とリード部１２の配置が互いに逆向きとなって隣り合うリードフレーム１０ｎ同士を連結する第３の連結リード１３ａ、１３ｂを有する構成としたので、第２のリードフレーム群１０ｎ−２における各リードフレーム１０ｎ同士を、パッド部１１とリード部１２のバランスをとって連結することができる。
【００４６】
なお、本実施形態の半導体素子搭載用基板は、隣り合う第２のリードフレーム群同士、枠部における細長形状をなす第２のリードフレーム群の長手方向に沿う両辺と当該辺に対向する第２のリードフレーム群と、の夫々を、当該第２のリードフレーム群の長手方向略中央位置でのみ第２のリードフレーム群の短手方向に沿って連結する補強リードを有した構成であれば、図１の例に限定されるものではない。
例えば、隣り合う第３のリードフレーム群１０ｎ−１同士を連結する第２の連結リード１３ｃ’の配置や個数は、どのようなものであってもよい。
また、例えば、図２に示すように、第３のリードフレーム群１０ｎ−１は、パッド部１１とリード部１２の配置が互いに同じ向きとなって隣り合うリードフレーム１０ｎにおいて対向する一方の側面同士を第２のリードフレーム群１０ｎ−２の長手方向に沿って連結する第３の連結リード１３ａ’を有する構成であってもよい。また、図２の例では、第２の連結リード１３ｃ’は、第３の連結リード１３ａ’とともに同一直線上に配置された構成としたが、第２の連結リード１３ｃ’は、第３の連結リード１３ａ’とは同一直線上から外れた位置に配置された構成であってもよい。
また、補強リード１５の幅は、０．０５ｍｍ〜０．３０ｍｍとするのが好ましい。このようにすれば、補強リードが接続するリードフレームを一つの行方向に配置されたリードフレームのみに特定しながら、細長形状をなす第２のリードフレーム群１０ｎ−２の撓みや、反りを確実に低減することができる。
また、図１、図２の半導体素子搭載用基板では、補強リード１５は、第２のリードフレーム群１０ｎ−２の短手方向に沿う同一直線上で連結する構成としたが、第２のリードフレーム群１０ｎ−１の長手方向略中央位置でのみ第２のリードフレーム群１０ｎ−１の短手方向に沿って連結する構成であれば、必ずしも同一直線上で連結した構成でなくてもよく、例えば、所定箇所の補強リード１５が一つの直線上からずれた位置で、隣り合う第２のリードフレーム群１０ｎ−２同士を連結する構成であってもよい。
【実施例】
【００４７】
以下、本発明の実施例と比較例の半導体素子搭載用基板を説明する。
実施例１
基材をなす金属板として、厚さ３０μｍの銅系材料を用いて、図１に示したパターンに対応する露光パターンが描画されたガラスマスクを用いて金属板の両面のレジスト層を露光、現像し、エッチング用レジストマスクを形成し、次いで、第二塩化鉄液を用いてエッチングを行うことにより、隣り合う第２のリードフレーム群１０ｎ−２同士、枠部１４における細長形状をなす第２のリードフレーム群１０ｎ−２の長手方向に沿う両辺と当該辺に対向する第２のリードフレーム群１０ｎ−２と、の夫々を、当該第２のリードフレーム群１０ｎ−２の長手方向略中央位置でのみ第２のリードフレーム群１０ｎ−２の短手方向に沿う同一直線上で連結する補強リード１５を有した形状を作製した。
次に、エッチング用レジストマスクを除去し、同じめっき装置を用いて、ニッケルを１．０μｍ、パラジウムを０．０３μｍ、金を０．００３μｍ、銀を３．０μｍの厚さで順にめっき加工を施して積層めっきを形成し、縦方向に１２個、横方向に１６個、合計１９２個のリードフレームがマトリックス状に配設された実施例１の半導体素子搭載用基板を得た。
【００４８】
比較例１
図４に示したパターンに対応する露光パターンが描画されたガラスマスクを用いる以外は、実施例１と略同様の作製手順、方法で、比較例１の半導体素子搭載用基板を得た。
【００４９】
変形と反りの評価
上述した方法により作製した実施例１、比較例１の夫々１０００シートの半導体素子搭載用基板を用いて、変形と反りを評価した。
詳しくは、投影機や顕微鏡を用いて半導体素子搭載用基板を観察し、リードフレームの設計上の位置に対して３０μｍ以上のズレが確認された場合を変形不良とした。また、半導体素子搭載用基板を１シートずつ金属製定盤上に置き、当該半導体素子搭載用基板と金属製定盤との間に０．１５ｍｍのすき間ゲージが入る場合を反り不良とした。
【００５０】
比較例１の半導体素子搭載用基板１０００シートを評価した結果、２１０シートが変形および反りの不良と判定され、収率は７９．０％であった。
これに対し、実施例１の半導体素子搭載用基板１０００シートを評価した結果、８シートが変形および反りの不良と判定され、収率は９９．２％であった。また、９９２シートの半導体素子搭載用基板における連結リードに接続する第２のリードフレーム群の長手方向中央位置のリードフレームをダミーリードフレームとして除外して、収率を計算しても、その場合の収率は、９１％（｛（１９２−１６）×９９２｝÷（１９２×１０００））であり、比較例１の収率７９．０％を大きく上回った。
【００５１】
これらの評価結果から、実施例１の半導体素子搭載用基板によれば、比較例１と比べてリードフレームの集積率が向上し、且つ、反りや変形の不良が減少し、生産性が向上すること、及び、搭載用基板１シート内のダミーリードフレームによる歩留まりの減少は、半導体搭載用基板全シートにおけるリードフレームの収率向上効果に比べて僅かなものであることが認められる。
【産業上の利用可能性】
【００５２】
上記実施形態や実施例では、光半導体素子搭載用基板について説明したが、本発明の半導体素子搭載用基板は、リードフレームが集積化されたその他の半導体素子搭載用基板を製造することが求められる分野にも有用である。
【符号の説明】
【００５３】
１０          半導体素子搭載用基板
１０ｎ        リードフレーム
１０ｎ−１    第３のリードフレーム群（小リードフレーム群）
１０ｎ−２    第２のリードフレーム群（中リードフレーム群）
１０ｎ−２ａ  短手方向両端
１０ｎ−３    第１のリードフレーム群
１１          パッド部
１２          リード部
１３ａ、１３ｂ、１３ｃ、１３ａ’、１３ｃ’          連結リード
１４          枠部
１４ａ        リードフレーム群１０ｎ−２の短手方向に沿う辺
１５          補強リード
５０          半導体素子搭載用基板
５１          パッド部
５２          リード部
５３          連結リード
５４          枠部
【図１】
2019201105.tif 000003
【図２】
2019201105.tif 000004
【図３】
2019201105.tif 000005
【図４】
2019201105.tif 000006